(57)【要約】【解決手段】隣接する断熱パネル部材Ｐの側面ｐ１ａに形成されたスプライン溝ｐ２に、スプラインテープＴを嵌入することにより、複数の断熱パネル部材Ｐを連結するとともに、外周を構成する断熱パネル部材Ｐの側面ｐ１ａに、外周保護部材Ｅ１、Ｅ２を配設し、更に、外周保護部材Ｅ１、Ｅ２と屋上の上面とにより形成される隅部に、シール剤Ｖを配設した屋上断熱緑化システムに関するものである。【効果】従来の屋上断熱緑化システムのように、上方から吹き付けられた強風が、隣接する断熱パネル部材間の間隙に入り込んで、屋上の上面まで達し、屋上の上面まで達した強風が、断熱パネル部材の下面と屋上の上面との間に形成された間隙に入り込んで、断熱パネル部材が持ち上げられたり、断熱パネル部材が屋上から剥離されたり、最悪の場合には、断熱パネル部材が吹き飛ばされるというようなことを防止しすることができる。【選択図】図１７
2009249933.tif 000002
【特許請求の範囲】
【請求項１】
隣接する断熱パネル部材の側面に形成されたスプライン溝に、スプラインテープを嵌入することにより、複数の断熱パネル部材を連結するとともに、外周を構成する断熱パネル部材の側面に、外周保護部材を配設し、更に、外周保護部材と屋上の上面とにより形成される隅部に、シール剤を配設したことを特徴とする屋上断熱緑化システム。
【請求項２】
断熱パネル部材の上面及び上部側面に、ポリマーモルタル層を形成したことを特徴とする請求項１に記載の屋上断熱緑化システム。
【請求項３】
隣接する断熱パネル部材の接合部に、垂直嵌合板部を嵌入することにより、一対のプランター保持枠部材を対向するように取り付けるとともに、一対のプランター保持枠部材を、連結部材により、連結するように構成したことを特徴とする請求項１又は請求項２に記載の屋上断熱緑化システム。
【請求項４】
プランターの設置領域を、布設された断熱パネル部材の全部に形成することなく、所定の断熱パネル部材に限定したことを特徴とする請求項１〜請求項３のいずれか１項に記載の屋上断熱緑化システム。
【請求項５】
プランターに収容される土壌のｐＨを、８以上とするとともに、土壌を、網状布帛に収容するようにしたことを特徴とする請求項１〜請求項４のいずれか１項に記載の屋上断熱緑化システム。
【発明の詳細な説明】
【技術分野】
【０００１】
本発明は、屋上に設置される屋上断熱緑化システムに関するものである。
【背景技術】
【０００２】
従来、屋上に設置された発泡樹脂製の断熱パネルの上に、土壌を布設し、該土壌に、芝生等の適当な植物を植生するようにした屋上断熱緑化システムが、一例として、特許文献１に開示されている。
【０００３】
【特許文献１】特開２００８−１９５５２号公報
【発明の開示】
【発明が解決しようとする課題】
【０００４】
従来の屋上断熱緑化システムにおいては、強風により、断熱パネルが浮き上がったり、最悪の場合には、屋上から断熱パネルが剥離し、吹き飛ばされるという問題があった。
【０００５】
従来の屋上断熱緑化システムを構成する発泡樹脂製の断熱パネルは、強度が十分でなかったり、燃焼し易かったり、また、紫外線等に対する耐候性が悪く、従って、屋上断熱緑化システムの耐久性に問題があった。
【０００６】
従来の屋上断熱緑化システムにおいては、屋上の略全面に、土壌を布設し、植物を植生するようにしているために、土壌に着種した雑草の除去や散水等に時間と労力を要し、ひいては、屋上断熱緑化システムの保守管理費用が嵩むという問題があった。
【０００７】
屋上に、断熱材を布設する、所謂、外断熱方式は、大型施設の新設や大規模改修工事時に採用されつつあるが、工事費用が高価になるという問題があった。
【０００８】
屋上緑化による建物最上階の冷暖房エネルギーの削減は、土壌の量（厚み）による断熱効果であるため、大量の土壌を必要とし、従って、屋上緑化システム自体が重いものとなり、既存の建物への適用が制限されるとともに、新規の建物の建築費用が嵩むという問題があった。
【０００９】
従来の屋上断熱緑化システムの施工は、現場での作業工程が多いことと、搬入時における揚重作業に、膨大な時間が消費されるために、工期が長く、従って、施工費用が嵩むという問題があった。
【００１０】
従来の屋上断熱緑化システムにおいては、緑化に伴う建物の劣化を招く植物由来の要因を除去又は抑制するための措置が、不可欠なために、防根シートや排水口の目詰まり防止部材等の種々の部材を設置する必要があり、従って、熟練作業員でしか、施工することができないという問題があった。
【００１１】
本発明の目的は、上述した従来の屋上断熱緑化システムが有する課題を解決することにある。
【課題を解決するための手段】
【００１２】
上述した目的を達成するために、屋上断熱緑化システムにおいて、第１には、隣接する断熱パネル部材の側面に形成されたスプライン溝に、スプラインテープを嵌入することにより、複数の断熱パネル部材を連結するとともに、外周を構成する断熱パネル部材の側面に、外周保護部材を配設し、更に、外周保護部材と屋上の上面とにより形成される隅部に、シール剤を配設したものであり、第２には、断熱パネル部材の上面及び上部側面に、ポリマーモルタル層を形成したものであり、第３には、隣接する断熱パネル部材の接合部に、垂直嵌合板部を嵌入することにより、一対のプランター保持枠部材を対向するように取り付けるとともに、一対のプランター保持枠部材を、連結部材により、連結するようにしたものであり、第４には、プランターの設置領域を．布設された断熱パネル部材の全部に形成することなく、所定数の断熱パネル部材に限定したものであり、第５には、プランターに収容される土壌のｐＨを、８以上とするとともに、土壌を、網状布帛に収容するようにしたものである。
【発明の効果】
【００１３】
隣接する断熱パネル部材の側面に形成されたスプライン溝に、スプラインテープを嵌入することにより、個々の断熱パネル部材を、気密状態に一体的に連結し、且つ、連結された断熱パネル部材の外周に配設した外周保護部材及び外周保護部材と屋上の上面とにより形成された隅部に配設されたシール剤により、強風時に、断熱パネル部材の上面に作用する負圧によって、断熱パネル部材の底面に、周辺から空気が侵入することを防止できるので、断熱パネル部材を持ち上げるような揚力を抑制することができる。従って、揚力を、屋上断熱緑化システム自体の重量以下に抑えることができ、断熱パネル部材が屋上から剥離されたり、断熱パネル部材が飛散するようなことを防止しすることができる。
【００１４】
断熱パネル部材の上面及び上部側面に、ポリマーモルタル層を形成したので、断熱パネル部材の表面強度（耐踏強度）や耐候性能や防炎性能を高めることができるとともに、飛来した雑草等の種が、プランターの土壌以外に着地しても、発芽したり、根がはるようなことを防止することができ、ひいては、雑草の除去の作業を軽減することができる。
【００１５】
隣接する断熱パネル部材の接合部に、垂直嵌合板部を嵌入することにより、一対のプランター保持枠部材を対向するように取り付けるように構成したので、特別な部材を用いることなく、簡単に、且つ、短時間で、プランター設置領域を形成することができる。
【００１６】
また、一対のプランター保持枠部材を、連結部材により、連結するように構成したので、プランター設置領域を形成するプランター保持枠部材の強度を向上させることができる。
【００１７】
外部から飛来した種子が、限定外の断熱パネル部材に着地しても着穂できず、従って、雑草の除去作業を軽減することができるとともに、屋上断熱緑化システムの重量を軽減することができ、載荷能力が十分でない既存の建物にも、屋上断熱緑化システムを配設することができる。
【００１８】
プランターに収容される土壌のｐＨを、８以上とするとともに、土壌を、網状布帛に収容するようにしたので、プランターに着種した種子の育成を抑制することができるとともに、プランターに収容される土壌の飛散を防止することができる。
【実施例】
【００１９】
以下に、本発明の実施例について説明するが、本発明の趣旨を越えない限り何ら、本実施例に限定されるものではない。
【００２０】
図１及び図２において、Ｐは、断熱パネル部材であり、断熱パネル部材Ｐは、平板状の発泡パネル基板ｐ１を有しており、発泡パネル基板ｐ１の側面ｐ１ａの中程には、その全周に亘たって、所定の奥行きＤ１を有するスプライン溝ｐ２が形成されている。また、発泡パネル基板ｐ１の上面ｐ１ｂの全面及び側面ｐ１ａのうち、上面ｐ１ｂからスプライン溝ｐ２までに位置する上部側面ｐ１ａ’には、ポリマーモルタル層ｐ３が形成されている。このようなポリマーモルタル層ｐ３を形成することにより、断熱パネル部材Ｐの強度や剛性や耐候性能を高めることができる。なお、発泡パネル基板ｐ１の上面ｐ１ｂにガラス繊維製や合成繊維製の網を敷きつめ、その上に、ポリマーモルタル層ｐ３を形成することにより、断熱パネル部材Ｐの強度や剛性を、更に高めることができる。
【００２１】
図３において、Ｈは、押出成形等の適当な成形手段により成形された、所定の長さを有するプランター保持枠部材であり、プランター保持枠部材Ｈは、略垂直な垂直平板部ｈ１と、垂直平板部ｈ１の一方の垂直面の上部に形成された上部膨出部ｈ２と、垂直平板部ｈ１の一方の垂直面の下部に形成された下部膨出部ｈ３とを有しており、上部膨出部ｈ２と下部膨出部ｈ３との間には、中間平板部ｈ４が形成されている。また、下部膨出部ｈ３の水平な底部ｈ３ａには、垂直平板部ｈ１に平行で、且つ、底部ｈ３ａに垂直な、帯状の垂直嵌合板部ｈ５が垂設されている。なお、プランター保持枠部材Ｈは、長手方向に対して垂直な断面形状が、このようなものに限定されることなく、縦長の単なる角筒体であったり、台形状体であってもよい。なお、ｈ４ａは、中間平板部ｈ４に穿設されたビスｈ６が挿入可能な透孔である。
【００２２】
図４において、Ｃは、押出成形等の適当な成形手段により成形された連結部材であり、連結部材Ｃは、横長で平板状の垂直基板ｃ１と、垂直基板ｃ１の一方の垂直面の中程に形成された管状部ｃ２とを有しており、管状部ｃ２は、連結部材Ｃの長手方向に対して垂直な断面形状が、略Ｃ字状に形成されている。
【００２３】
図５において、Ｂは、平面形状が方形状の底部ｂ１と周壁ｂ２とを有する箱型のプランターであり、プランターＢの底部ｂ１には、排水用の透孔ｂ１ａが穿設されている。プランターＢに、土壌を収容し、適当な多年生の匍匐植物が植えられることになる。
【００２４】
図６において、Ｅ１は、押出成形等の適当な成形手段により成形された外周保護部材であり、外周保護部材Ｅ１は、底板ｅ１と、底板ｅ１の一方の辺に沿って立設された垂直板ｅ２と、垂直板ｅ２の上端から  底板ｅ１に平行に延在する天板ｅ３とから構成されており、長手方向に対して垂直な断面形状が、略コの字状に形成されている。外周保護部材Ｅ１の側部開口ｅ４の内寸高さＤ２は、断熱パネル部材Ｐの厚さＤ３と略同じに形成されている。
【００２５】
図７において、Ｔは、断熱パネル部材Ｐの側面ｐ１ａに形成されたスプライン溝ｐ２に嵌入されるスプラインテープであり、スプラインテープＴの幅Ｄ４は、断熱パネル部材Ｐを構成する発泡パネル基板ｐ１の側面ｐ１ａに形成されたスプライン溝ｐ２の奥行きＤ１の略２倍に形成されており、適当なボビンｔ１に巻回されている。また、スプラインテープＴの厚さＤ５は、スプライン溝ｐ２の高さＤ６と略同等以上に形成されている。
【００２６】
次に、主として、図８〜図１１等を用いて、屋上への屋上断熱緑化システムの施工の一例について説明する。
【００２７】
まず最初に、図８に示されているように、屋上周壁Ｗに沿って、且つ、屋上周壁Ｗから所定の間隔を置いて、断熱パネル部材Ｐの短辺Ｐ’同士が、互いに当接或いは接近するように、複数枚の断熱パネル部材Ｐを配置し、第１列目の断熱パネル部材列Ｐ１を形成する。次いで、スプラインテープＴを、第１列目の断熱パネル部材列Ｐ１を構成する断熱パネル部材Ｐの屋上周壁Ｗから遠い方に位置する長辺Ｐ”側の側面ｐ１ａに形成されたスプライン溝ｐ２（以下、単に、長辺Ｐ”側のスプライン溝ｐ２という。）に嵌入する。スプラインテープＴの幅方向の略半分ｔ１だけが、短辺Ｐ’同士が、互いに当接或いは接近するように配置された複数の断熱パネル部材Ｐの長辺Ｐ”側のスプライン溝ｐ２に嵌入され、残余の幅方向の略半分ｔ２のスプラインテープＴは、長辺Ｐ”側のスプライン溝ｐ２から出ている。
【００２８】
次いで、短辺Ｐ’同士が、互いに当接或いは接近するように配置され、且つ、長辺Ｐ”側のスプライン溝ｐ２に、略半分ｔ１だけ、スプラインテープＴが嵌入され、互いに、連結された第１列目の断熱パネル部材列Ｐ１を構成する断熱パネル部材Ｐの側方に、第２列目の断熱パネル部材列Ｐ２を構成する断熱パネル部材Ｐを、長辺Ｐ”同士が、互いに対向するように配置し、その後、第２列目の断熱パネル部材列Ｐ２を構成する断熱パネル部材Ｐを、第１列目の断熱パネル部材列Ｐ１を構成する断熱パネル部材Ｐに接近させて、第２列目の断熱パネル部材列Ｐ２を構成する断熱パネル部材Ｐの長辺Ｐ”側のスプライン溝ｐ２に、第１列目の断熱パネル部材列Ｐ１を構成する断熱パネル部材Ｐの長辺Ｐ”側のスプライン溝ｐ２から出ているスプラインテープＴの残余の略半分ｔ２を嵌入する。このようにして、第１列目の断熱パネル部材列Ｐ１を構成する断熱パネル部材Ｐと第２列目の断熱パネル部材列Ｐ２を構成する断熱パネル部材Ｐを、スプラインテープＴを介して、連結する。
【００２９】
次いで、図９に示されているように、第２列目の断熱パネル部材列Ｐ２を構成する断熱パネル部材Ｐの長辺Ｐ”側のもう一方のスプライン溝ｐ２に、スプラインテープＴを、幅方向の略半分ｔ１だけ嵌入し、残余の幅方向の略半分ｔ２が、長辺Ｐ”側のスプライン溝ｐ２から出るようにする。その後、短辺Ｐ’同士が、互いに当接或いは接近するように配置され、且つ、長辺Ｐ”側のスプライン溝ｐ２に、略半分ｔ１だけ、スプラインテープＴが嵌入され、互いに、連結された第２列目の断熱パネル部材列Ｐ２を構成する断熱パネル部材Ｐの側方に、第３列目の断熱パネル部材列Ｐ３を構成する断熱パネル部材Ｐを、長辺Ｐ”同士が、互いに対向するように配置し、その後、断熱パネル部材Ｐを、スプラインテープＴにより連結された第２列目の断熱パネル部材列Ｐ２を構成する断熱パネル部材Ｐに接近させて、第３列目の断熱パネル部材列Ｐ３を構成する断熱パネル部材Ｐの長辺Ｐ”側のスプライン溝ｐ２に、第２列目の断熱パネル部材列Ｐ２を構成する断熱パネル部材Ｐの長辺Ｐ”側のスプライン溝ｐ２から出ているスプラインテープＴの残余の略半分ｔ２を嵌入する。このようにして、第２列目の断熱パネル部材列Ｐ２を構成する断熱パネル部材Ｐと第３列目の断熱パネル部材列Ｐ３を構成する断熱パネル部材Ｐとを、スプラインテープＴを介して、連結する。
【００３０】
上述した作業を、順次、適当回数、繰り返すことにより、短辺Ｐ’同士が、互いに当接或いは接近するように配置され、且つ、隣接する断熱パネル部材列Ｐ１、Ｐ２、Ｐ３・・・を構成する断熱パネル部材Ｐが、長辺Ｐ”側のスプライン溝ｐ２に嵌入されたスプラインテープＴにより連結された断熱パネル部材Ｐ群が配設されることになる。
【００３１】
上述したように、隣接する断熱パネル部材列Ｐ１、Ｐ２、Ｐ３・・・を構成する断熱パネル部材Ｐが、断熱パネル部材Ｐの長辺Ｐ”側のスプライン溝ｐ２に嵌入されたスプラインテープＴにより連結された際には、互いに当接或いは接近するように配置されている断熱パネル部材Ｐの短辺Ｐ’側の側面ｐ１ａに形成された一方の断熱パネル部材Ｐのスプライン溝ｐ２（以下、単に、短辺Ｐ’側のスプライン溝ｐ２という。）と、もう一方の断熱パネル部材Ｐの短辺Ｐ’側のスプライン溝ｐ２とにより、図１０に示されているように、スプラインテープＴの幅Ｄ４と略同じ幅を有する水平溝Ｓが、隣接する断熱パネル部材列Ｐ１、Ｐ２、Ｐ３・・・を構成する断熱パネル部材Ｐの短辺Ｐ’に沿って形成されることになる。このように形成された水平溝Ｓの開口部は、第１列目の断熱パネル部材列Ｐ１を構成する断熱パネル部材Ｐの相対する長辺Ｐ”のうち、屋上周壁Ｗ側に位置する側面ｐ１ａに形成されているので、この第１列目の断熱パネル部材列Ｐ１を構成する断熱パネル部材Ｐに形成されている水平溝Ｓの開口部から、水平溝Ｓに、スプラインテープＴを嵌入し、その先端が、最終列の断熱パネル部材列を構成する断熱パネル部材Ｐの相対する長辺Ｐ”のうち、屋上周壁Ｗ側に位置する側面ｐ１ａまで達するまで嵌入する。上述したようにして、断熱パネル部材Ｐを、屋上に設置することになるが、断熱パネル部材Ｐの短辺Ｐ’に沿って、短辺Ｐ’側のスプライン溝ｐ２に嵌入されたスプラインテープＴと断熱パネル部材Ｐの長辺Ｐ”に沿って、長辺Ｐ”側のスプライン溝ｐ２に嵌入されたスプラインテープＴとは、その交叉部分において、互いに、部分的に重なることになる。
【００３２】
上述したように、長辺Ｐ”が対向するように配置された断熱パネル部材Ｐ同士を、長辺Ｐ”が対向するように配置された断熱パネル部材Ｐの長辺Ｐ”側のスプライン溝ｐ２に跨がって、スプラインテープＴを嵌入することにより連結するとともに、短辺Ｐ’が対向するように配置された断熱パネル部材Ｐ同士を、短辺Ｐ’が対向するように配置された断熱パネル部材Ｐの短辺Ｐ’側のスプライン溝ｐ２に跨がって、スプラインテープＴを嵌入することにより連結することにより、屋上断熱緑化システムを構成する断熱パネル部材Ｐ群を構成したので、上方から、断熱パネル部材Ｐ群に、強風が吹き付けられ、強風が、隣接する断熱パネル部材Ｐの側面ｐ１ａ間の間隙に入り込んでも、断熱パネル部材Ｐに形成されたスプライン溝ｐ２に嵌入されたスプラインテープＴにより、強風が遮断され、屋上の上面まで達することはない。従って、従来の屋上断熱緑化システムのように、上方から吹き付けられた強風が、隣接する断熱パネル部材の側面間の間隙に入り込んで、屋上の上面まで達し、屋上の上面まで達した強風が、断熱パネル部材の下面と屋上の上面との間に形成された間隙に入り込んで、断熱パネル部材が持ち上げられたり、断熱パネル部材が屋上から剥離されたり、最悪の場合には、断熱パネル部材が吹き飛ばされるというようなことを防止しすることができる。
【００３３】
次に、図１２〜図１４を用いて、プランター保持枠部材Ｈの取り付けについて説明する。なお、図１２に示されているように、一例として、中央部に位置する断熱パネル部材（以下、符号Ｐａを付す。）付近に、プランター保持枠部材Ｈが取り付けられる例を用いて、プランター保持枠部材Ｈの取り付けについて説明する。
【００３４】
中央部に位置する断熱パネル部材Ｐａの一方の長辺Ｐ”と当接或いは接近するように配置されている断熱パネル部材（以下、符号Ｐｂを付す。）との接合部に、断熱パネル部材Ｐａの長辺Ｐ”と略同じ長さを有するプランター保持枠部材Ｈの垂直嵌合板部ｈ５を嵌入することにより、一方のプランター保持枠部材Ｈを取り付ける。同様に、中央部に位置する断熱パネル部材Ｐａのもう一方の長辺Ｐ”と当接或いは接近するように配置されている断熱パネル部材（以下、符号Ｐｃを付す。）との接合部に、断熱パネル部材Ｐａの長辺Ｐ”と略同じ長さを有するプランター保持枠部材Ｈの垂直嵌合板部ｈ５を嵌入することにより、もう一方のプランター保持枠部材Ｈを、一方のプランター保持枠部材Ｈと対向するように取り付ける。なお、対向するように立設されたプランター保持枠部材Ｈは、垂直平板部ｈ１の平坦な垂直面ｈ１ａが、互いに対向するように設置する。また、立設されたプランター保持枠部材Ｈの垂直嵌合板部ｈ５は、スプライン溝ｐ２に嵌入されたスプラインテープＴ付近にまで到達するが、スプラインテープＴに当接し、スプラインテープＴを変形させたり、損傷することのないように構成されている。
【００３５】
上述したように、隣接する断熱パネル部材Ｐの接合部に、プランター保持枠部材Ｈの垂直嵌合板部ｈ５が嵌入することにより、プランター保持枠部材Ｈが、しっかりと取り付けられることになる。従って、隣接する断熱パネル部材Ｐの互いに対向する側面ｐ１ａ間の間隙は、プランター保持枠部材Ｈの垂直嵌合板部ｈ５の厚さＤ７より、狭くすることが好ましい。
【００３６】
次いで、図１３や図１５に示されているように、対向するように立設されたプランター保持枠部材Ｈ間に、プランター保持枠部材Ｈと略垂直になるように、連結部材Ｃを配置するとともに、プランター保持枠部材Ｈの中間平板部ｈ４に穿設された透孔ｈ４ａに、外側から、ビスｈ６を挿通し、ビスｈ６の先端部分を、連結部材Ｃの管状部ｃ２に圧入することにより、連結部材Ｃを、プランター保持枠部材Ｈに取り付ける。連結部材Ｃは、プランター保持枠部材Ｈの長手方向に沿って、複数本、取り付ける。このように、対向するように立設されたプランター保持枠部材Ｈ間に、複数本の連結部材Ｃを取り付けることにより、プランター保持枠部材Ｈの強度や剛性を高めることができる。
【００３７】
本実施例においては、プランター保持枠部材Ｈの両端部が、連結部材Ｃにより連結されているとともに、プランター保持枠部材Ｈの中央部が、連結部材Ｃにより連結されている例が示されているが、連結部材Ｃの本数や配置位置は、この実施例に限定されるものではない。
【００３８】
対向するように立設されたプランター保持枠部材Ｈ間に位置する断熱パネル部材Ｐａに、プランターＢを載置することになるが、上述したように、連結部材Ｃが取り付けられている場合には、相対するプランター保持枠部材Ｈと相対する連結部材Ｃにより囲まれた領域に、プランターＢが配置することが好ましい。従って、図１３に示されている実施例においては、図１７に示されているように、２個のプランターＢが配置されることになる。
【００３９】
上述した実施例には、中央部に位置する断熱パネル部材Ｐａを挟むように、一対のプランター保持枠部材Ｈを、その垂直平板部ｈ１の平坦な垂直面ｈ１ａが、互いに対向するように設置するとともに、相対するプランター保持枠部材Ｈを、連結部材Ｃにより連結するようにして、一対のプランター保持枠部材Ｈ間に、プランターＢの設置領域を形成した例が示されているが、このようなプランターＢの設置領域を、他の断熱パネル部材Ｐに設置することもできる。また、プランターＢの設置領域を、隣接する複数の断熱パネル部材Ｐを挟むように、プランター保持枠部材Ｈを設置するとともに、相対するプランター保持枠部材Ｈを、連結部材Ｃにより連結するようにして、隣接する複数の断熱パネル部材ＰからなるプランターＢの設置領域を形成することもできる。
【００４０】
図１８に示されているように、屋上断熱緑化システムを構成する断熱パネル部材Ｐのうち、外周を構成する断熱パネル部材Ｐの短辺Ｐ’及び長辺Ｐ”に、外周保護部材Ｅ１の側部開口ｅ４を嵌入することにより、屋上断熱緑化システムを構成する断熱パネル部材Ｐの外周には、外周保護部材Ｅ１が取り付けられている。外周保護部材Ｅ１は、適当な長さ、例えば、断熱パネル部材Ｐの長辺Ｐ”の長さに形成されており、外周保護部材Ｅ１は、図１９に示されている連結具Ｅ’を介して連結されるように構成されている。このように、隣接する外周保護部材Ｅ１同士は、連結具Ｅ’により連結されることになる。連結具Ｅ’は、外周保護部材Ｅ１と略同じ形状に形成されている。即ち、連結具Ｅ’も、底板ｅ１’と、底板ｅ１’の一方の辺に沿って立設された垂直板ｅ２’と、垂直板ｅ２’の上端から  底板ｅ１’に平行に延在する天板ｅ３’とから構成されており、長手方向に対して垂直な断面形状が、外周保護部材Ｅ１と同様に、略コの字状に形成されている。隣接する外周保護部材Ｅ１同士の接合部分に、外側から、外周保護部材Ｅ１を挟持するように、連結具Ｅ’を嵌合することにより、隣接する外周保護部材Ｅ１同士を連結することができるように構成されている。
【００４１】
また、外周保護部材Ｅ１の垂直板ｅ２と屋上の上面とにより形成される隅部に、シール剤Ｖを配設することにより、外周保護部材Ｅ１の移動、ひいては、断熱パネル部材Ｐの移動を防止することができるとともに、外周保護部材Ｅ１の底板ｅ１と屋上の上面との間に形成された間隙に強風が入り込み、断熱パネル部材Ｐが、浮き上がったり、屋上から断熱パネルが剥離し、吹き飛ばされるというようなことを防止することができる。
【００４２】
上述した実施例においては、外周を構成する断熱パネル部材Ｐの短辺Ｐ’及び長辺Ｐ”に、外周保護部材Ｅ１の側部開口ｅ４を嵌入するようにして、屋上断熱緑化システムを構成する断熱パネル部材Ｐの外周に、外周保護部材Ｅ１を取り付けるように構成されているが、外周保護部材Ｅ１に代えて、図２０に示されているように、外周を構成する断熱パネル部材Ｐの短辺Ｐ’及び長辺Ｐ”に、外周保護部材としてのブロック部材Ｅ２を、短辺Ｐ’及び長辺Ｐ”に当接するように設置することもできる。このようなブロック部材Ｅ２を設置した場合にも、ブロック部材Ｅ２の外側側面と屋上の上面により形成される隅部に、シール剤Ｖを配設することにより、ブロック部材Ｅ２の移動、ひいては、断熱パネル部材Ｐの移動を防止することができるとともに、ブロック部材Ｅ２の裏面と屋上の上面との間に形成された間隙に強風が入り込み、断熱パネル部材Ｐが、浮き上がったり、屋上から断熱パネルが剥離し、吹き飛ばされるというようなことを防止することができる。なお、ブロック部材Ｅ２を、両面接着剤やセメント材を用いて、屋上の上面に取着することが好ましい。
【００４３】
上述したプランターＢには、多年生の匍匐植物が植えられており、匍匐植物のプランターＢから成長した部分は、断熱パネル部材Ｐの表面に沿って延在し、屋上に設置された断熱パネル部材Ｐの全体を覆うことになる。
【００４４】
匍匐植物が植えられるプランターＢの設置領域は、設置された断熱パネル部材Ｐの全部に形成されることなく、所定の断熱パネル部材Ｐにのみ形成されることが重要である。プランターＢの設置領域の面積は、設置された断熱パネル部材Ｐの全面積の１〜５０％程度とすることが好ましい。プランターＢの設置領域が、設置された断熱パネル部材Ｐの全面積の１％以下であると、屋上断熱緑化システムの設置から、匍匐植物が、屋上の大部分を埋めるまでに、時間がかかるし、また、プランターＢの設置領域が、設置された断熱パネル部材Ｐの全面積の５０％を越えると、プランターＢに生える雑草の除去や散水等に多大の時間と労力を要し、重量も重くなることになる。
【００４５】
プランターＢの設置領域の一例としては、匍匐植物が植えられたプランターＢが設置された中央部に位置する断熱パネル部材Ｐａに対して、その辺部が相対しないような位置にある断熱パネル部材Ｐｄに、匍匐植物が植えられたプランターＢを設置し、更に、必要に応じて、匍匐植物が植えられたプランターＢが設置された断熱パネル部材Ｐａ、Ｐｄの辺部が相対しないような位置にある断熱パネル部材Ｐｅに、匍匐植物が植えられたプランターＢを設置する。
【００４６】
上述したように、匍匐植物が植えられるプランターＢの設置領域を、設置された断熱パネル部材Ｐの全部とすることなく、所定の断熱パネル部材Ｐに限定することにより、外部から飛来した種子のプランターＢへの着種を抑制することができ、従って、雑草の除去作業を軽減することができるとともに、屋上断熱緑化システムの重量を軽減することができ、載荷能力が十分でない既存の建物にも、屋上断熱緑化システムを配設することができる。
【００４７】
また、上述したように、断熱パネル部材Ｐに、ポリマーモルタル層ｐ３を形成したので、断熱パネル部材Ｐの強度や剛性が向上するとともに、難燃性能が向上することになる。
【００４８】
更に、断熱パネル部材Ｐに、ポリマーモルタル層ｐ３を形成したので、飛来した雑草等の種が、プランターＢの土壌以外に着地しても、発芽したり、根がはるようなことを防止することができ、ひいては、雑草の除去の作業を軽減することができる。
【００４９】
更にまた、プランターＢに収容される土壌のｐＨを、８以上、好ましくは、８〜１２とすることにより、プランターに着種した種子の育成を抑制することができる。
【００５０】
なお更に、プランターに収容される土壌を、網状布帛に収容することが好ましい。このように、土壌を、網状布帛に収容することにより、土壌の飛散を防止することができる。
【００５１】
なお、図２１及び図２２に示されている実施例は、プランター保持枠部材Ｈの上部膨出部ｈ２に、給水管保持枠ｈ７を形成したものであり、上部膨出部ｈ２と給水管保持枠ｈ７とにより形成された空間部に、給水管ｈ８を取り付けることができるように構成されている。給水管ｈ８に適当な散水具ｈ９を取り付けることにより、プランターＢに植えられた匍匐植物に、適宜、散水を行うことができるように構成されている。給水管保持枠ｈ８を形成することなく、このような給水管ｈ８を、直に、プランター保持枠部材Ｈの上部膨出部ｈ２等に、適当な固着具や接着剤により、取り付けることもできる。
【００５２】
スプライン溝ｐ２やポリマーモルタル層ｐ３が形成された断熱パネル部材Ｐ、プランターＢ、連結部材Ｃ、外周保護部材Ｅ１、Ｅ２、プランター保持枠部材Ｈ等は、予め、工場において、大量生産することができるので、屋上断熱緑化システムの施工現場においては、基本的には、これら部材の組立だけであるので、屋上断熱緑化システムの施工時間の短縮化、施工費用の軽減化を実現することができるとともに、熟練作業員でなくても、屋上断熱緑化システムを施工することができる。
【図面の簡単な説明】
【００５３】
【図１】図１は、本発明の屋上断熱緑化システムを構成する断熱パネル部材の斜視図である。
【図２】図２は、図１に示されている断熱パネル部材の部分垂直断面図である。
【図３】図３は、本発明の屋上断熱緑化システムを構成するプランター保持枠部材の部分斜視図である。
【図４】図４は、本発明の屋上断熱緑化システムを構成する連結部材の部分斜視図である。
【図５】図５は、本発明の屋上断熱緑化システムを構成するプランターの斜視図である。
【図６】図６は、本発明の屋上断熱緑化システムを構成する外周保護部材の部分斜視図である。
【図７】図７は、本発明の屋上断熱緑化システムを構成するスプラインテープが巻回された状態の斜視図である。
【図８】図８は、本発明の屋上断熱緑化システムの施工を説明するための平面図である。
【図９】図９は、同じく、本発明の屋上断熱緑化システムの施工を説明するための平面図である。
【図１０】図１０は、本発明の屋上断熱緑化システムを構成する断熱パネル部材が屋上に布設された状態の一部断面を含む部分側面図である。
【図１１】図１１は、本発明の屋上断熱緑化システムを構成する断熱パネル部材が屋上に布設された状態の部分拡大垂直断面図である。
【図１２】図１２は、本発明の屋上断熱緑化システムの施工を説明するための平面図である。
【図１３】図１３は、本発明の屋上断熱緑化システムを構成するプランター保持枠部材や連結部材等の斜視図である。
【図１４】図１４は、本発明の屋上断熱緑化システムを構成するプランター保持枠部材が取り付けられた状態の部分拡大垂直断面図である。
【図１５】図１５は、本発明の屋上断熱緑化システムを構成するプランター保持枠部材への連結部材の取り付けを説明するための部分拡大斜視図である。
【図１６】図１６は、本発明の屋上断熱緑化システムを構成するプランター保持枠部材に連結部材が取り付けられた状態の垂直断面図である。
【図１７】図１７は、本発明の屋上断熱緑化システムを構成するプランター保持枠部材や連結部材が組み立てられた状態の斜視図である。
【図１８】図１８は、本発明の屋上断熱緑化システムを構成する断熱パネル部材に外周保護部材が取り付けられた状態の部分拡大垂直断面図である。
【図１９】図１９は、本発明の屋上断熱緑化システムを構成する外周保護部材及び連結具の斜視図である。
【図２０】図２０は、本発明の屋上断熱緑化システムを構成する断熱パネル部材に外周保護部材が取り付けられた状態の別の実施例の部分拡大垂直断面図である。
【図２１】図２１は、本発明の屋上断熱緑化システムを構成する別の実施例のプランター保持枠部材の部分斜視図である。
【図２２】図２２は、本発明の屋上断熱緑化システムを構成する別の実施例のプランター保持枠部材の部分垂直断面図である。
【符号の説明】
【００５４】
Ｂ・・・・・・・・プランター
Ｃ・・・・・・・・連結部材
Ｅ１、Ｅ２・・・・外周保護部材
Ｈ・・・・・・・・プランター保持枠部材
ｈ５・・・・・・・垂直嵌合板部
Ｐ・・・・・・・・断熱パネル部材
ｐ１・・・・・・・発泡パネル基板
ｐ２・・・・・・・スプライン溝
ｐ３・・・・・・・ポリマーモルタル層
Ｔ・・・・・・・・スプラインテープ
Ｖ・・・・・・・・シール剤
【図１】
2009249933.tif 000003
【図２】
2009249933.tif 000004
【図３】
2009249933.tif 000005
【図４】
2009249933.tif 000006
【図５】
2009249933.tif 000007
【図６】
2009249933.tif 000008
【図７】
2009249933.tif 000009
【図８】
2009249933.tif 000010
【図９】
2009249933.tif 000011
【図１０】
2009249933.tif 000012
【図１１】
2009249933.tif 000013
【図１２】
2009249933.tif 000014
【図１３】
2009249933.tif 000015
【図１４】
2009249933.tif 000016
【図１５】
2009249933.tif 000017
【図１６】
2009249933.tif 000018
【図１７】
2009249933.tif 000019
【図１８】
2009249933.tif 000020
【図１９】
2009249933.tif 000021
【図２０】
2009249933.tif 000022
【図２１】
2009249933.tif 000023
【図２２】
2009249933.tif 000024